(57)【要約】【課題】スリーブとブラケットとを一体化した上でスリーブに対するブラケットの回転回避を図った管体保持金具の製造工程の簡便化を図る。【解決手段】ホース保持金具１００はブラケット１０とスリーブ２０を備える。スリーブ２０のブラケット挿入部２４は、ブラケット１０の貫通孔１２に挿入され、開口端側のスリーブ壁が拡張しつつ折り返されている。よって、このブラケット挿入部２４は、拡張・折り返しにより、ブラケット１０を鍔部２２の側に押しつけ、鍔部２２と協働してブラケット１０を挟持固定する。また、ブラケット挿入部２４は、貫通孔１２に形成された略Ｖ字状の異形陥没部１４に入り込んで係合し、これによりブラケット１０の回転を回避する。【選択図】図３
2008240921.tif 000002
【特許請求の範囲】
【請求項１】
管体を配管経路途中にて保持する管体保持金具であって、
前記管体が挿入される筒状のスリーブと、
貫通孔を備え、前記スリーブが該貫通孔を貫通して配置された状態で前記スリーブの一方の開口端側に位置するブラケットとを備え、
前記ブラケットの貫通孔は、
前記スリーブの外周面と貫通孔内周面との間の距離が他の箇所と相違するようスリーブ径方向に沿って前記貫通孔内周面から突出もしくは陥没した異形形状部を備え、
前記スリーブは、
前記貫通孔内に配置された際に前記ブラケットに当接してスリーブ軸方向のストッパとなるよう拡張した鍔部と、
前記一方の開口端側のスリーブ壁が拡張されつつ前記ブラケットの側に折り返された開口端側拡径部とを備え、
該開口端側拡径部は、前記折り返しにより前記ブラケットを前記鍔部に押しつけて前記鍔部とで前記ブラケットを挟持すると共に、前記貫通孔の前記異形形状部と対向する箇所を前記異形形状部に係合させる
ことを特徴とする管体保持金具。
【請求項２】
請求項１に記載の管体保持金具であって、
前記スリーブは、前記鍔部をスリーブ壁が外側に折り返された鍔部として備える
管体保持金具。
【請求項３】
管体が挿入される筒状のスリーブと該スリーブの一方の開口端側に位置するブラケットとを備えて前記管体を配管経路途中にて保持する管体保持金具の製造方法であって、
前記スリーブが挿入可能な貫通孔を有するブラケットをプレス成形手法を経て準備する工程と、
前記貫通孔を貫通して配置される前記スリーブであって、前記貫通孔に配置された際に前記ブラケットに当接してスリーブ軸方向のストッパとなるよう拡張した鍔部を有する前記スリーブを準備する工程と、
前記ブラケットの前記貫通孔に前記スリーブを前記一方の開口端側から挿入して、前記一方の開口端側のスリーブ壁を前記貫通孔から突出させ、前記ブラケットを前記スリーブの前記鍔部に当接させる工程と、
前記一方の開口端側のスリーブ壁を拡張しつつ前記ブラケットの側に折り返し、該折り返された前記スリーブ壁にて前記鍔部の側に向けた力を前記ブラケットに作用させて、前記折り返したスリーブ壁と前記鍔部とで前記ブラケットを挟持する工程とを備え、
前記ブラケットを準備する工程では、
前記スリーブの外周面と貫通孔内周面との間の距離が他の箇所と相違するようスリーブ径方向に沿って前記貫通孔内周面から突出もしくは陥没した異形形状部を備えた前記貫通孔を打ち抜き形成し、
前記ブラケットを挟持する工程では、
前記スリーブ壁の拡張に伴い、前記貫通孔の前記異形形状部と対向する箇所のスリーブ壁を前記異形形状部に係合させる
ことを特徴とする管体保持金具の製造方法。
【請求項４】
請求項３に記載の管体保持金具の製造方法であって、
前記スリーブを準備する工程では、
前記スリーブをスリーブ軸方向に圧縮させてスリーブ壁を外側に折り返すことで、前記鍔部を形成する
管体保持金具の製造方法。
【発明の詳細な説明】
【技術分野】
【０００１】
本発明は、管体を配管経路途中にて保持する管体保持金具に関する。
【背景技術】
【０００２】
ホース、チューブ等の管体は、通過対象となる流体の性状に応じて適宜その材料が採択され、ゴムホース、樹脂ホース、金属ホース等として提供されている。こうした管体は、車両、産業機器等への装着に際し、その配管経路が規制される場合がある。こうした場合、管体は規制された配管経路を取るよう、また、その配管経路を維持するよう、その経路途中で金具にて保持される。こうした管体保持を行う金具が種々提案されている（特許文献１等参照）。
【０００３】
【特許文献１】実公平５−１９６６５号公報
【特許文献２】特開平２−８０１２９号公報
【０００４】
これら特許文献の管体保持金具は、その製造工程は相違するものの、管体を保持するスリーブと、このスリーブを車両等の他の部材に固定するためのブラケットとを有する。そして、管体保持金具には、既述した管体保持および経路維持の観点から、スリーブとブラケットの一体化、スリーブに対するブラケットの回転回避が不可欠となっている。
【発明の開示】
【発明が解決しようとする課題】
【０００５】
特許文献１で提案された管体保持金具は、いわゆるワンピース部品であるために、部材の接合工程が不要である利点と、スリーブに対するブラケットの回転回避の対策が不要であると言う利点がある。しかしながら、金属板の深絞りを要するため、塑性加工に適合した材料選択や深絞りのためのプレス設計が不可欠となり、汎用性にやや欠けていた。その一方、特許文献２の管体保持金具は、板材たるブラケットの貫通孔周囲をテーパ面としている都合上、ブラケット形成に、簡便なプレス成形手法の他、テーパ面の切削加工が必要となり、工数増、延いてはコスト増を招いていた。しかも、ブラケットとスリーブの一体化にカシメ手法を採用しているものの、カシメ対象は金具中間部位の柱状部であって中空形状ではないため、カシメに多大なエネルギを要し、特化した生産設備の導入、延いてはコスト増を招きかねなかった。
【０００６】
本発明は、上記問題点を解決するためになされ、スリーブとブラケットとを一体化した上でスリーブに対するブラケットの回転回避を図った新たな管体保持金具を提供すると共に、製造工程の簡便化をもたらす管体保持金具を提供することをその目的とする。
【課題を解決するための手段】
【０００７】
かかる目的を達成するための本発明の管体保持金具とその製造方法では、以下の構成を採用した。
【０００８】
[適用１：管体保持金具]
管体を配管経路途中にて保持する管体保持金具であって、
前記管体が挿入される筒状のスリーブと、
貫通孔を備え、前記スリーブが該貫通孔を貫通して配置された状態で前記スリーブの一方の開口端側に位置するブラケットとを備え、
前記ブラケットの貫通孔は、
前記スリーブの外周面と貫通孔内周面との間の距離が他の箇所と相違するようスリーブ径方向に沿って前記貫通孔内周面から突出もしくは陥没した異形形状部を備え、
前記スリーブは、
前記貫通孔内に配置された際に前記ブラケットに当接してスリーブ軸方向のストッパとなるよう拡張した鍔部と、
前記一方の開口端側のスリーブ壁が拡張されつつ前記ブラケットの側に折り返された開口端側拡径部とを備え、
該開口端側拡径部は、前記折り返しにより前記ブラケットを前記鍔部に押しつけて前記鍔部とで前記ブラケットを挟持すると共に、前記貫通孔の前記異形形状部と対向する箇所を前記異形形状部に係合させる
ことをその要旨とする。
【０００９】
上記構成を備える管体保持金具は、ブラケットの貫通孔にスリーブをその一方の開口端側から挿入して貫通孔を貫通させると、スリーブの径方向に拡張した鍔部で、スリーブ軸方向におけるブラケットの位置を定める。スリーブの一方の開口端側は開口端側拡径部とされ、この開口端側拡径部は、一方の開口端側のスリーブ壁が拡張されつつブラケットの側に折り返されていることから、この折り返しにより、鍔部の側に向けた力をブラケットに及ぼしてブラケットを鍔部に押しつけ、鍔部とでブラケットを挟持する。よって、ブラケットは、スリーブと一体となる。
【００１０】
スリーブが挿入されるブラケットの貫通孔は、スリーブの外周面と貫通孔内周面との間の距離が他の箇所と相違するようスリーブ径方向に沿って貫通孔内周面から突出もしくは陥没した異形形状部を備える。そして、スリーブの開口端側拡径部は、拡張されつつなされる折り返しにより、貫通孔の異形形状部と対向する箇所においてこの異形形状部に係合するので、この係合により、スリーブに対するブラケットの回転は起きないようになる。
【００１１】
以上説明した管体保持金具は、管体を配管経路途中にて保持するために不可欠なスリーブとブラケットとの一体化と、スリーブに対するブラケットの回転回避とを達成できる。換言すれば、上記構成を有する管体保持金具は、スリーブとブラケットとが一体化した上で、スリーブに対するブラケットの回転回避を図った新たな管体保持金具となる。
【００１２】
しかも、この管体保持金具では、ブラケットの貫通孔を異形形状部を有するよう打ち抜き加工等にて形成すれば足りると共に、スリーブの一方の開口端側のスリーブ壁を拡張しつつブラケットの側に折り返せば足りる。こうした拡張・折り返しは、スリーブの一方の開口端側であることから容易であると共に、スリーブの材料選択の自由度が高まる。この結果、上記構成を有する管体保持金具は、ブラケットを簡便なプレス成形手法にて得ることができるようにすることと相まって、製造方法の簡便化をもたらす。
【００１３】
この場合、スリーブの鍔部をスリーブ壁が外側に折り返された鍔部とすることもできる。こうすれば、スリーブをその外壁が挫屈するよう圧縮するだけで鍔部を形成できるので、鍔部を有するスリーブについても、簡便な手法にて得るようにすることができる。
【００１４】
[適用２：管体保持金具の製造方法]
管体が挿入される筒状のスリーブと該スリーブの一方の開口端側に位置するブラケットとを備えて前記管体を配管経路途中にて保持する管体保持金具の製造方法であって、
前記スリーブが挿入可能な貫通孔を有するブラケットをプレス成形手法を経て準備する工程と、
前記貫通孔を貫通して配置される前記スリーブであって、前記貫通孔に配置された際に前記ブラケットに当接してスリーブ軸方向のストッパとなるよう拡張した鍔部を有する前記スリーブを準備する工程と、
前記ブラケットの前記貫通孔に前記スリーブを前記一方の開口端側から挿入して、前記一方の開口端側のスリーブ壁を前記貫通孔から突出させ、前記ブラケットを前記スリーブの前記鍔部に当接させる工程と、
前記一方の開口端側のスリーブ壁を拡張しつつ前記ブラケットの側に折り返し、該折り返された前記スリーブ壁にて前記鍔部の側に向けた力を前記ブラケットに作用させて、前記折り返したスリーブ壁と前記鍔部とで前記ブラケットを挟持する工程とを備え、
前記ブラケットを準備する工程では、
前記スリーブの外周面と貫通孔内周面との間の距離が他の箇所と相違するようスリーブ径方向に沿って前記貫通孔内周面から突出もしくは陥没した異形形状部を備えた前記貫通孔を打ち抜き形成し、
前記ブラケットを挟持する工程では、
前記スリーブ壁の拡張に伴い、前記貫通孔の前記異形形状部と対向する箇所のスリーブ壁を前記異形形状部に係合させる
をその要旨とする。
【００１５】
上記構成を有する管体保持金具の製造方法によれば、スリーブとブラケットとが一体化した上で、スリーブに対するブラケットの回転回避を図った新たな管体保持金具を容易に製造できる。
【００１６】
この場合、スリーブを準備するに際しては、スリーブをスリーブ軸方向に圧縮させてスリーブ壁を外側に折り返すことで、鍔部形成の簡便化を図ることができる。
【発明を実施するための最良の形態】
【００１７】
以上説明した本発明の構成・作用を一層明らかにするために、以下、本発明の実施の形態を実施例としてのホース保持金具１００に基づいて説明する。図１は実施例のホース保持金具１００のパーツたるブラケット１０とスリーブ２０との組み付け前の様子を示す斜視図、図２はブラケット１０の貫通孔１２にスリーブ２０を挿入した様子をブラケット側から示す説明図、図３は完成品としてのホース保持金具１００をその一部の拡大図と共に示す断面図、図４はホース保持金具１００にてホースＨを保持した状態を示す説明図である。
【００１８】
これら図面に示すように、ホース保持金具１００は、ブラケット１０とスリーブ２０とを有する。ブラケット１０は、プレス成形手法にて形成され、貫通孔１２を打ち抜いて備える。この貫通孔打ち抜きに際して、孔周囲の下端側に異形陥没部１４が形成される。なお、ブラケット１０は、屈曲生成され、その屈曲箇所に、他の部材へのネジ止めのためのネジ穴１６を備える。
【００１９】
スリーブ２０は、筒状をなし、一方の開口端側に鍔部２２を有する。この鍔部２２は、後述するように、スリーブ壁が外側に折り返されて形成されている。そして、このスリーブ２０は、鍔部２２の一方のスリーブ壁をブラケット挿入部２４とし、他方のスリーブ壁をカシメ部２６とする。
【００２０】
スリーブ２０は、ブラケット挿入部２４をブラケット１０の貫通孔１２に挿入させた上で、鍔部２２をブラケット１０に当接させてそのストッパとし、後述するようにブラケット１０と一体とされる。このようにブラケット挿入部２４が貫通孔１２に挿入された状態では、図２に示すように、貫通孔１２の異形陥没部１４は、スリーブ径方向に沿って貫通孔内１２周面から略Ｖ字状に陥没している。よって、スリーブ２０（詳しくは、ブラケット挿入部２４）の外周面と貫通孔１２内周面との間の距離は、異形陥没部１４の形成箇所において他の箇所と相違することになる。
【００２１】
図３に示すように、ホース保持金具１００の完成品では、ブラケット１０は既述したようにスリーブ２０の鍔部２２に当接し、スリーブ２０のブラケット挿入部２４は、その開口端側のスリーブ壁が拡張されつつ前記ブラケットの側に折り返されることになる。そして、このブラケット挿入部２４は、この拡張・折り返しにより鍔部２２の側に向けた力をブラケット１０に作用させて当該ブラケットを鍔部２２の側に押しつけるので、ブラケット１０は、スリーブ２０の鍔部２２とブラケット挿入部２４で挟持されて、スリーブ２０と一体となる。また、図３の拡大図に示すように、ブラケット挿入部２４は、後述するその製造工程での上記拡張・折り返しにより、貫通孔１２の異形陥没部１４と対向する箇所において、この異形陥没部１４に入り込んで係合する。こうしたブラケット挿入部２４と異形陥没部１４との係合により、スリーブ２０に対するブラケット１０の回転は起きないようになる。
【００２２】
上記のホース保持金具１００をホースＨの保持に用いるに当たっては、図４に示すように、スリーブ２０にホースＨを挿入する。そして、図示しないカシメ機器にてカシメ部２６に環状のカシメ痕２７を複数箇所形成し、このカシメ痕２７の陥没により、ホースＨを保持する。この状態でホース保持金具１００を図示しないネジにより他の部材に固定することで、ホース保持金具１００は、ホースＨをその配管経路途中で保持しつつ、当該経路を維持する。
【００２３】
次に、ホース保持金具１００の製造工程について説明する。図５はホース保持金具１００の製造工程を示すフローチャート、図６は製造工程におけるスリーブ２０の形成の様子を示す説明図、図７は製造工程におけるブラケット挿入部２４の拡張・折り返しに伴うブラケット１０とスリーブ２０との一体化の様子を示す説明図、図８はブラケット挿入部２４の拡張・折り返しに用いる拡張ジグを斜視および要部の側面視にて示す説明図である。
【００２４】
図１〜図３を用いて説明したように、本実施例のホース保持金具１００は、ブラケット１０とスリーブ２０の二つの部材しか有しない。よって、その製造に当たっては、図５に示すように、それぞれの部材の準備、具体的には、ブラケット１０のプレス成形（ステップＳ１００）と、鍔付きのスリーブ２０の形成（ステップＳ１１０）を行った後、ブラケットおよびスリーブの組み付けジグへのセット（ステップＳ１２０）と、ブラケット１０とスリーブ２０の両部材の一体のためのスリーブ開口端拡張（ステップＳ１３０）の工程を順次行う。この場合、ブラケット１０とスリーブ２０はそれぞれ別部材であって後に一体化されることから、ブラケット１０のプレス成形（ステップＳ１００）と鍔付きのスリーブ２０の形成（ステップＳ１１０）の両工程は、相前後して、或いは並行して実施可能である。
【００２５】
ステップＳ１００のブラケット１０のプレス成形では、適宜な金属プレート、例えば炭素鋼プレート、アルミプレート、ステンレスプレート等にプレス成形処理を施す。これにより、図１に示すように、貫通孔１２と異形陥没部１４およびネジ穴１６がプレス打ち抜きで形成されて屈曲したブラケット１０が得られる。本実施例では、このブラケット１０にスリーブ２０を一体化するに際して、スリーブ２０の開口端側の折り返しを行えばよいことから、ブラケット１０とスリーブ２０とが同じ材料とする必要はない。よって、ブラケット１０の材料選択の余地が広がる。なお、ホース保持金具１００による保持対象のホースが、その配管後において、ホースの振動抑制等のための強固なホース保持（経路維持）が無用であれば、ブラケット１０として、金属プレートの他、樹脂プレートをも採用できる。
【００２６】
ステップＳ１１０の鍔付きのスリーブ２０の形成では、図６に示すように、まず、適宜な金属製の筒状スリーブ、例えば炭素鋼スリーブ、アルミプレート、ステンレスプレート等を準備し、その準備したスリーブに鍔部２２を形成する。この鍔部２２の形成に際しては、鍔部２２の形成のためのスリーブ壁の折り返しを見越して、スリーブ一方端側でブラケット挿入部２４に相当する部位と、スリーブ他端側でカシメ部２６に相当する部位とを図示しないチャックで把持する。そして、チャックで把持したまま、筒状のスリーブをその外壁が挫屈するよう、圧縮させることで、準備済みの筒状の金属スリーブは、鍔部２２を有するスリーブ２０となる。
【００２７】
こうしてブラケット１０とスリーブ２０との準備が完了すると、ステップＳ１２０においてブラケット１０とスリーブ２０とを組み付けジグにセットする。この組み付けジグは、図７に示すように、鍔部２２を有するスリーブ２０の装着シャフト１１０と、ブラケット挿入部２４の拡張・折り返しのための拡張ジグ１２０とを有する。装着シャフト１１０は、スリーブ２０の装着の簡便化を図るため、中間部位が小径とされている。拡張ジグ１２０は、装着シャフト１１０と対向する位置を取り、図８にその形状を概略的に示すように、凸状の先端突起１２１と突起基部のスリーブ押圧部１２２とを備え、先端突起１２１の側面に凸条１２３を有する。先端突起１２１とスリーブ押圧部１２２の繋ぎ箇所は湾曲した拡張賦形部１２４とされている。先端突起１２１は、拡張賦形部１２４の側から先端に行くほど小径となるよう傾斜した円錐台形状とされ、拡張賦形部１２４の側の外径はスリーブ２０の内径よりやや小径とされている。よって、拡張ジグ１２０は、先端突起１２１をその先端からスリーブ２０に容易に入り込ませる。凸条１２３は、その断面が既述したように略Ｖ字状に陥没したブラケット１０の異形陥没部１４に倣った三角形状とされており、先端突起１２１の傾斜に倣って拡張賦形部１２４の側ほど高く突出して形成されている。
【００２８】
この組み付けジグへのブラケット１０とスリーブ２０のセットに際しては、まず、拡張ジグ１２０が装着シャフト１１０から離れた状態において、スリーブ２０を装着シャフト１１０に装着して図示しない固定具で把持・固定する。次いで、ブラケット１０を、その貫通孔１２にスリーブ２０のブラケット挿入部２４が入り込むよう、スリーブ２０に組み付け、このブラケット１０をスリーブ２０の鍔部２２に当接させる（図７（Ａ））。この場合、ブラケット１０は、異形陥没部１４が例えば鉛直位置となるよう図示しない位置決め機構により位置決めされた上で、スリーブ２０に組み付けられる。そして、拡張ジグ１２０にあっては、先端突起１２１の側面の凸条１２３が位置決め済みのブラケット１０の異形陥没部１４に対向するように配置されている。
【００２９】
こうしてブラケット１０とスリーブ２０のセットが完了すると、続くステップＳ１３０では、図７（Ｂ）〜（Ｃ）に示すように、拡張ジグ１２０が装着シャフト１１０に近づくよう、両者の相対位置を変更させる。その後、両者をホース保持金具１００、詳しくは装着シャフト１１０からのスリーブ２０の取り外しができるよう離間させ、ホース保持金具１００の製造工程を終了する。
【００３０】
上記したステップＳ１３０での拡張ジグ１２０と装着シャフト１１０の相対的な位置変更により、拡張ジグ１２０は、ブラケット挿入部２４の開口端側のスリーブ壁を、拡張賦形部１２４の湾曲に倣って湾曲させつつ拡張させてブラケット１０の側に折り返すと共に、凸条１２３により、この拡張・折り返しがなされつつあるスリーブ壁を、ブラケット１０の異形陥没部１４内部に入り込ませてこの異形陥没部１４と係合させる。つまり、ブラケット挿入部２４は、拡張ジグ１２０の拡張賦形部１２４に倣った拡張・折り返しによりブラケット１０を鍔部２２の側に押し付けるので、ブラケット挿入部２４と鍔部２２は、ブラケット１０を挟持して固定する。しかも、ブラケット挿入部２４は、そのスリーブ壁をブラケット１０の異形陥没部１４に入り込ませて当該陥没部と係合するので、スリーブ２０に対するブラケット１０の回転が起きないようにする。つまり、スリーブ２０とブラケット１０とが回転することなく一体となったホース保持金具１００が得られる。
【００３１】
以上説明したように、本実施例のホース保持金具１００では、図４に示すように、ホースＨを配管経路途中にて保持するために不可欠なスリーブ２０とブラケット１０との一体化と、スリーブ２０に対するブラケット１０の回転回避とを、ストッパとして機能する鍔部２２と拡張・折り返しを起こしたブラケット挿入部２４とでのブラケット１０挟持と、鍔部２２の拡張・折り返しによる異形陥没部１４との係合とにより達成する。よって、本実施例によれば、スリーブ２０とブラケット１０とが一体化した上で、スリーブ２０に対するブラケット１０の回転回避を図った新たなホース保持金具１００を提供できる。
【００３２】
しかも、このホース保持金具１００を製造するためのブラケット１０は、貫通孔１２と異形陥没部１４を有するよう打ち抜き加工等にて容易に形成できる。また、スリーブ２０にあっても、鍔部２２の形成、ブラケット挿入部２４のスリーブ壁の拡張・折り返せを行えば足り、こうした拡張・折り返しを受けるブラケット挿入部２４はスリーブ開口端側であることから、ブラケット挿入部２４の拡張・折り返しは容易であると共に、スリーブ２０の材料選択の自由度が高まる。これらの結果、本実施例の製造方法によれば、スリーブ２０とブラケット１０とが回転することなく一体となったホース保持金具１００を容易に製造できる。
【００３３】
また、本実施例では、図６に示すように筒状のスリーブの挫屈・圧縮という簡便な手法で、鍔部２２を有するスリーブ２０を形成できる。
【００３４】
以上本発明の実施例について説明したが、本発明はこうした実施例に何等限定されるものではなく、本発明の要旨を逸脱しない範囲内において、種々なる態様で実施し得ることは勿論である。例えば、ブラケット１０の貫通孔１２に形成する異形陥没部１４は、貫通孔１２の周囲に複数箇所も受けるようにすることもできる。こうすれば、複数箇所の異形陥没部１４でのブラケット挿入部２４の係合により、ブラケット１０とスリーブ２０との回転回避の実効性が高まり、好ましい。また、異形陥没部１４に代えて、貫通孔１２の内側に凸の形態の異形形状部とすることもできる。図９はブラケット１０の変形例を示す説明図、図１０はブラケット１０のまた別の変形例を示す説明図である。
【００３５】
図９に示すよう、ブラケット１０は、貫通孔１２の内周面に突起１５を備える。この突起１５は、既述した異形陥没部１４と同様、スリーブ２０（詳しくはブラケット挿入部２４）の外周面と貫通孔１２内周面との間の距離を他の箇所と相違するものとする。よって、この突起１５を有するブラケット１０とすることもでき、突起１５を貫通孔１２の内周面に複数設けるようにすることもできる。
【００３６】
図１０に示すブラケット１０は、貫通孔１２の一部内周領域を平面部１５ａとする。この平面部１５ａは、円弧状の貫通孔内周面よりも貫通孔の中心側にせり出していることから、既述した異形陥没部１４と同様、ブラケット挿入部２４の外周面と貫通孔１２内周面との間の距離を他の箇所と相違するものとする。よって、この平面部１５ａを有するブラケット１０とすることもでき、平面部１５ａを貫通孔１２の内周面に複数箇所、例えば、図示する平面部１５ａと対向する箇所に設けるようにすることもできる。また、貫通孔１２を平面部１５ａが連続した多角形とすることもできる。多角形の貫通孔であれば、各辺に当たる部位と角の部位とでブラケット挿入部２４の外周面と貫通孔１２内周面との間の距離が異なることになる。
【図面の簡単な説明】
【００３７】
【図１】実施例のホース保持金具１００のパーツたるブラケット１０とスリーブ２０との組み付け前の様子を示す斜視図である。
【図２】ブラケット１０の貫通孔１２にスリーブ２０を挿入した様子をブラケット側から示す説明図である。
【図３】完成品としてのホース保持金具１００をその一部の拡大図と共に示す断面図である。
【図４】ホース保持金具１００にてホースＨを保持した状態を示す説明図である。
【図５】ホース保持金具１００の製造工程を示すフローチャートである。
【図６】製造工程におけるスリーブ２０の形成の様子を示す説明図である。
【図７】製造工程におけるブラケット挿入部２４の拡張・折り返しに伴うブラケット１０とスリーブ２０との一体化の様子を示す説明図である。
【図８】ブラケット挿入部２４の拡張・折り返しに用いる拡張ジグを斜視および要部の側面視にて示す説明図である。
【図９】ブラケット１０の変形例を示す説明図である。
【図１０】ブラケット１０のまた別の変形例を示す説明図である。
【符号の説明】
【００３８】
１０...ブラケット
１２...貫通孔
１４...異形陥没部
１５...突起
１５ａ...平面部
１６...ネジ穴
２０...スリーブ
２２...鍔部
２４...ブラケット挿入部
２６...カシメ部
２７...カシメ痕
１００...ホース保持金具
１１０...装着シャフト
１２０...拡張ジグ
１２１...先端突起
１２２...スリーブ押圧部
１２３...凸条
１２４...拡張賦形部
Ｈ...ホース
【図１】
2008240921.tif 000003
【図２】
2008240921.tif 000004
【図３】
2008240921.tif 000005
【図４】
2008240921.tif 000006
【図５】
2008240921.tif 000007
【図６】
2008240921.tif 000008
【図７】
2008240921.tif 000009
【図８】
2008240921.tif 000010
【図９】
2008240921.tif 000011
【図１０】
2008240921.tif 000012